【手続補正書】
【提出日】平成20年6月13日(2008.6.13)
【手続補正１】
【補正対象書類名】特許請求の範囲
【補正対象項目名】全文
【補正方法】変更
【補正の内容】
【特許請求の範囲】
【請求項１】
複数の印刷装置から、処理対象の印刷データの印刷先とする印刷装置を選定する情報処理装置であって、
それぞれの印刷装置が備える給紙段に関するデバイス情報を記憶する記憶手段と、
前記記憶手段によって記憶されたデバイス情報と、前記処理対象の印刷データにて必要となる用紙の用紙種類情報に基づいて、前記印刷データを処理すべき印刷装置の組み合わせを選定する選定手段と、
前記選定手段によって選定された印刷装置の組み合わせに含まれる各印刷装置に対して、前記印刷データのページ順を変更することなく該印刷データを分割して出力する出力制御手段と
を備えることを特徴とする情報処理装置。
【請求項２】
前記選定手段によって選定された印刷装置の組み合わせにて印刷処理が実行可能となるように、前記印刷データを、前記印刷装置の組み合わせを構成する各印刷装置に割り当てる割当手段を更に備える
ことを特徴とする請求項１に記載の情報処理装置。
【請求項３】
前記選定手段は、用紙交換無しで印刷処理を実行すべく、前記それぞれの印刷装置が備える給紙段にセットされている用紙の用紙種類情報から、前記印刷データにて必要となる複数の用紙種類を包含する印刷装置の組み合わせを選定する
ことを特徴とする請求項１または２に記載の情報処理装置。
【請求項４】
前記選定手段によって選定された前記印刷装置の組み合わせの内、前記印刷データを処理するための印刷装置の組み合わせを特定する特定手段を更に備え、
前記特定手段は、前記選定手段により選定された印刷装置の組み合わせから、前記印刷装置の組み合わせを構成する印刷装置の数が最小となる組み合わせを特定する
ことを特徴とする請求項１乃至３のいずれか１項に記載の情報処理装置。
【請求項５】
前記特定手段は、前記選定手段により選定された前記印刷装置の組み合わせから、印刷時間が最短となる印刷装置の組み合わせを特定する
ことを特徴とする請求項４に記載の情報処理装置。
【請求項６】
前記特定手段は、前記選定手段により選定された前記印刷装置の組み合わせから、前記それぞれの印刷装置に設定されている優先度の和が最大となる印刷装置の組み合わせを特定する
ことを特徴とする請求項４または５に記載の情報処理装置。
【請求項７】
前記給紙段にセットされている用紙の用紙種類を印刷処理前に交換することで、前記印刷データにて必要となる複数の用紙種類を包含する印刷装置の組み合わせを構成する印刷装置において、印刷処理前に用紙種類の交換処理を実行すべき印刷装置に対し、用紙種類の交換を要求する交換要求情報を送信する送信手段とを更に備える
ことを特徴とする請求項６に記載の情報処理装置。
【請求項８】
前記選定手段は、前記印刷データにて必要となる複数の用紙種類を包含する印刷装置の組み合わせを選定することができない場合、用紙交換回数が最小となる印刷装置の組み合わせを選定する
ことを特徴とする請求項３に記載の情報処理装置。
【請求項９】
前記印刷データにて必要となる複数の用紙種類を包含する印刷装置の組み合わせを選定することができない場合、印刷処理中にセットすべき用紙種類を認識する認識手段と、
前記認識手段により認識された用紙種類が印刷処理中にセット可能か否かを判定するセット判定手段を更に備え、
前記選定手段は、前記セット判定手段においてセット可能と判定された用紙種類を交換対象とする組み合わせを選定する
ことを特徴とする請求項８に記載の情報処理装置。
【請求項１０】
前記セット判定手段は、前記印刷処理中にセットすべき用紙種類の在庫があると判定された場合、前記用紙種類をセット可能であると判定する
ことを特徴とする請求項９に記載の情報処理装置。
【請求項１１】
前記デバイス情報を取得する取得手段を更に備える
ことを特徴とする請求項１乃至１０のいずれか１項に記載の情報処理装置。
【請求項１２】
複数の印刷装置から、処理対象の印刷データの印刷先とする印刷装置を選定する情報処理装置の制御方法であって、
それぞれの印刷装置が備える給紙段に関するデバイス情報を記憶媒体に記憶する記憶工程と、
前記記憶工程によって前記記憶媒体に記憶されたデバイス情報と、前記処理対象の印刷データにて必要となる用紙の用紙種類情報に基づいて、前記印刷データを処理すべき印刷装置の組み合わせを選定する選定工程と、
前記選定工程によって選定された印刷装置の組み合わせに含まれる各印刷装置に対して、前記印刷データのページ順を変更することなく該印刷データを分割して出力する出力制御工程と
を備えることを特徴とする情報処理装置の制御方法。
【請求項１３】
前記選定工程によって選定された印刷装置の組み合わせにて印刷処理が実行可能となるように、前記印刷データを、前記印刷装置の組み合わせを構成する各印刷装置に割り当てる割当工程を更に備える
ことを特徴とする請求項１２に記載の情報処理装置の制御方法。
【請求項１４】
前記選定工程は、用紙交換無しで印刷処理を実行すべく、前記それぞれの印刷装置が備える給紙段にセットされている用紙の用紙種類情報から、前記印刷データにて必要となる複数の用紙種類を包含する印刷装置の組み合わせを選定する
ことを特徴とする請求項１２または１３に記載の情報処理装置の制御方法。
【請求項１５】
前記選定工程によって選定された前記印刷装置の組み合わせの内、前記印刷データを処理するための印刷装置の組み合わせを特定する特定工程を更に備え、
前記特定工程は、前記選定工程により選定された印刷装置の組み合わせから、前記印刷装置の組み合わせを構成する印刷装置の数が最小となる組み合わせを特定する
ことを特徴とする請求項１２乃至１４のいずれか１項に記載の情報処理装置の制御方法。
【請求項１６】
前記特定工程は、前記選定工程により選定された前記印刷装置の組み合わせから、印刷時間が最短となる印刷装置の組み合わせを特定する
ことを特徴とする請求項１５に記載の情報処理装置の制御方法。
【請求項１７】
前記特定工程は、前記選定工程により選定された前記印刷装置の組み合わせから、前記それぞれの印刷装置に設定されている優先度の和が最大となる印刷装置の組み合わせを特定する
ことを特徴とする請求項１５または１６に記載の情報処理装置の制御方法。
【請求項１８】
前記給紙段にセットされている用紙の用紙種類を印刷処理前に交換することで、前記印刷データにて必要となる複数の用紙種類を包含する印刷装置の組み合わせを構成する印刷装置において、印刷処理前に用紙種類の交換処理を実行すべき印刷装置に対し、用紙種類の交換を要求する交換要求情報を送信する送信工程とを更に備える
ことを特徴とする請求項１７に記載の情報処理装置の制御方法。
【請求項１９】
前記選定工程は、前記印刷データにて必要となる複数の用紙種類を包含する印刷装置の組み合わせを選定することができない場合、用紙交換回数が最小となる印刷装置の組み合わせを選定する
ことを特徴とする請求項１４に記載の情報処理装置の制御方法。
【請求項２０】
前記印刷データにて必要となる複数の用紙種類を包含する印刷装置の組み合わせを選定することができない場合、印刷処理中にセットすべき用紙種類を認識する認識工程と、
前記認識工程により認識された用紙種類が印刷処理中にセット可能か否かを判定するセット判定工程を更に備え、
前記選定工程は、前記セット判定工程においてセット可能と判定された用紙種類を交換対象とする組み合わせを選定する
ことを特徴とする請求項１９に記載の情報処理装置の制御方法。
【請求項２１】
前記セット判定工程は、前記印刷処理中にセットすべき用紙種類の在庫があると判定された場合、前記用紙種類をセット可能であると判定する
ことを特徴とする請求項２０に記載の情報処理装置の制御方法。
【請求項２２】
前記デバイス情報を取得する取得工程を更に備える
ことを特徴とする請求項１２乃至２１のいずれか１項に記載の情報処理装置の制御方法。
【請求項２３】
複数の印刷装置から、処理対象の印刷データの印刷先とする印刷装置を選定する情報処理装置の制御を、コンピュータに以下の各工程を実行させるためのプログラムであって、
それぞれの印刷装置が備える給紙段に関するデバイス情報を記憶媒体に記憶する記憶工程と、
前記記憶工程によって前記記憶媒体に記憶されたデバイス情報と、前記処理対象の印刷データにて必要となる用紙の用紙種類情報に基づいて、前記印刷データを処理すべき印刷装置の組み合わせを選定する選定工程と、
前記選定工程によって選定された印刷装置の組み合わせに含まれる各印刷装置に対して、前記印刷データのページ順を変更することなく該印刷データを分割して出力する出力制御工程と
を、コンピュータに実行させることを特徴とするプログラム。